(57)【要約】      （修正有）【課題】快速接続構造を有する冷凍組立カップを提供する。【解決手段】当該冷凍組立カップは内カップ１、カップホルダー３とシールリング２を備える。シールリングは内カップの外面に覆い被せられる。内カップの外面とカップホルダーの内面とには互いに係合される内ネジ山と外ネジ山がそれぞれ成形される。シールリングが覆い被せられた内カップがカップホルダーに係合して接続されるとき、シールリングの下面がカップホルダーのカップ開口縁に接触する。内カップがカップホルダーに係合して接続された後、内カップの外壁とカップホルダーの内壁の間には氷の塊４を収容可能な隙間が形成される。上記方式を採用すると、氷の塊がカップホルダーに入れられた後、氷の塊、内カップと内カップ内の液体が熱伝導を形成し、氷の塊が熱を吸収して内カップ内の液体の温度を降下させるため、冷凍の効果が達成される。【選択図】図１
0003213260.tif 000002
【実用新案登録請求の範囲】
【請求項１】
内カップ（１）とカップホルダー（３）とを備える、快速接続構造を有する冷凍組立カップであって、
前記内カップ（１）の外面に覆い被せられるシールリング（２）をさらに備え、
前記内カップ（１）の外面とカップホルダー（３）の内面とには、互いに係合される内ネジ山（３１）および外ネジ山（１１）がそれぞれ成形され、
シールリング（２）が覆い被せられた内カップ（１）がカップホルダー（３）に係合して接続されるとき、前記シールリング（２）の下面がカップホルダー（３）のカップ開口縁に接触し、前記内カップ（１）がカップホルダー（３）に係合して接続された後、前記内カップ（１）の外壁とカップホルダー（３）の内壁の間には、氷の塊（４）を収容可能な間隔が形成されることを特徴とする快速接続構造を有する冷凍組立カップ。
【請求項２】
前記カップホルダー（３）の外面には、取っ手が成形されることを特徴とする請求項１に記載の快速接続構造を有する冷凍組立カップ。
【考案の詳細な説明】
【技術分野】
【０００１】
本考案は、水飲みカップの技術分野に関し、特に快速接続構造を有する冷凍組立カップに関する。
【背景技術】
【０００２】
人々は冷やした飲み物を飲みたいときがあり、もしその飲み物が事前に冷凍庫内に置かれていない場合、人々は、幾つかの冷凍方法を通じて飲み物を降温させる。例えば、人々は、氷の塊を飲み物に入れたり、飲み物を冷凍庫内に置いたりする。しかし、これらの冷凍方式は、飲み物の食感に影響するか、冷凍に時間がかかりすぎるため、人々のその際の需要に応じられない。したがって、人々が冷やした飲み物を飲もうとするとき、快速冷凍可能でありながら構造が簡単で便利な冷凍カップを提供する必要がある。
【考案の概要】
【考案が解決しようとする課題】
【０００３】
本考案の目的は、従来技術の不足を解消すべく、快速接続構造を有する冷凍組立カップを提供することにある。
【課題を解決するための手段】
【０００４】
上記目的を達成すべく、本考案は、快速接続構造を有する冷凍組立カップを提供する。当該冷凍組立カップは、内カップ、カップホルダーおよびシールリングを備える。当該シールリングは、前記内カップの外面に覆い被せられる。前記内カップの外面とカップホルダーの内面とには、互いに係合される内ネジ山および外ネジ山がそれぞれ成形される。シールリングが覆い被せられた内カップがカップホルダーに係合して接続されるとき、前記シールリングの下面がカップホルダーのカップ開口縁に接触する。前記内カップがカップホルダーに係合して接続された後、前記内カップの外壁とカップホルダーの内壁の間には、氷の塊を収容可能な隙間が形成される。
【０００５】
さらに、前記カップホルダーの外面には、取っ手が成形される。
【考案の効果】
【０００６】
本考案は、上記解決手段を講じることにより、下記の有利な作用効果を奏する。氷の塊がカップホルダーに入れられた後、氷の塊、内カップおよび内カップ内の液体が熱伝導を形成し、氷の塊が熱を吸収して内カップ内の液体の温度を降下させるため、冷凍の効果が達成される。そして、シールリングが覆い被せられた内カップがカップホルダーに係合して密封された後、氷の塊と外部の空気の間の熱伝導を減少可能となり、氷の塊の溶解速度を緩める。上記の方式を採用すると、冷凍カップを介して短時間内で飲み物を降温させて冷凍効果を達成させるため、飲み物の食感を変化させないだけでなく、冷凍カップの構造が簡単になり、操作が便利になる。
【図面の簡単な説明】
【０００７】
【図１】本考案の冷凍カップの断面視の構造模式図である。
【図２】本考案の冷凍カップの構造模式図である。
【図３】本考案の冷凍カップの分解図である。
【図４】本考案の冷凍カップのカップホルダーの構造模式図である。
【図５】本考案の冷凍カップの内カップの構造模式図である。
【考案を実施するための形態】
【０００８】
本考案について、具体的な実施例に合わせてさらに説明する。
【０００９】
図１から図５に示すように、快速接続構造を有する冷凍組立カップは、内カップ１、カップホルダー３およびシールリング２を備える。ただし、内カップ１の外面にはシールリング２が覆い被せられる。内カップ１の外面とカップホルダー３の内面とには、互いに係合される内ネジ山３１および外ネジ山１１がそれぞれ成形される。ただし、内カップ１とカップホルダー３は、内ネジ山３１と外ネジ山１１との係合により接続し合ってもよい。シールリング２が覆い被せられた内カップ１がカップホルダー３に係合して接続されるとき、シールリング２の下面がカップホルダー３のカップ開口縁に接触し、内ネジ山３１と外ネジ山１１の相互作用およびシールリング２により、内カップ１とカップホルダー３の間の隙間が密封空間を形成する。
【００１０】
本実施例では、内カップ１がカップホルダー３に係合して接続された後、内カップ１の外壁とカップホルダー３の内壁の間には、氷の塊４を収容可能な間隔が形成される。飲み物を冷凍する必要があるとき、まず、氷の塊４をカップホルダー３内に入れて、シールリング２が覆い被せられた内カップ１とカップホルダー３との係合接続により、内カップ１とカップホルダー３の間の間隔にて密封した空間を形成し、氷の塊４と外部の熱伝導を減少させる。次に、氷の塊４の溶解過程において、内カップ１内の液体が熱を内カップ１を経由して氷の塊４に伝導し、氷の塊４が熱を吸収して内カップ１内の液体の温度を降下させて冷凍効果を達成させる。このような方式により、飲み物の液体が短時間内で冷凍効果を達成可能であるとともに、このような冷凍カップの構造が簡単になり、冷凍スピードが速くなる。
【００１１】
本実施例では、カップホルダー３の外面に取っ手が成形される。当該取っ手の設置により、冷凍カップの使い勝手が一層向上する。
【００１２】
上述した実施例は、単なる本考案の好適な実施例に過ぎず、本考案に対するなんらかの制限にならない。当業者が本考案の解決手段の範囲を逸脱せずに上記技術的内容を利用して本考案の解決手段に対してなした可能な変更、修飾あるいは補正は、何れも本考案の等価実施例である。故に、本考案の解決手段を逸脱しない内容も、本考案の思想に依拠する等同・等価変化も、本考案の保護範囲内に含まれる。
【符号の説明】
【００１３】
１  内カップ、１１  外ネジ山、２  シールリング、３  カップホルダー、３１  内ネジ山、４  氷の塊。
【図１】
0003213260.tif 000003
【図２】
0003213260.tif 000004
【図３】
0003213260.tif 000005
【図４】
0003213260.tif 000006
【図５】
0003213260.tif 000007